(57)【要約】【課題】携帯電話を端末としてシステム利用者の各種データをインターネット経由でサーバに蓄積し、そのデータを加工してシステム利用者の携帯電話にグラフ画像表示する携帯画像情報システムにおいて、携帯電話キャリア間の互換性の問題を解決する。【解決手段】蓄積されたデータをグラフ画像表示するときに携帯電話固有のアプリケーションプログラムを使わずに、サーバ側で携帯電話の表示画面サイズに合わせてグラフ画像を描画し、それを画像ファイルとして携帯電話に送信して表示させる。携帯電話側では要求するグラフ画像表示に必要な表示パラメータの値だけを設定しサーバ側に送信する。【選択図】              図１
2007188364.tif 000002
【特許請求の範囲】
【請求項１】
携帯電話を端末としてシステム利用者のデータをインターネット経由でサーバに蓄積し、該蓄積されたデータを加工してグラフ画像として携帯電話の表示画面に表示するシステムであって、グラフ画像をサーバ側で描画し画像ファイルとして携帯電話に送信することを特徴とする携帯画像情報システム。
【請求項２】
前記グラフ画像をサーバ側で描画する時に、交信中の携帯電話の環境変数から表示画面サイズを取得し、携帯電話の表示画面サイズに合わせて描画することを特徴とする請求項１に記載の携帯画像情報システム。
【請求項３】
前記グラフ画像表示のための表示パラメータを携帯電話側でシステム利用者が設定し、サーバに送信することを特徴とする請求項１および請求項２に記載の携帯画像情報システム。
【請求項４】
前記インターネット経由でサーバに蓄積されるデータは、システム利用者の身体を計測して得られる健康データおよびシステム利用者の生活習慣データの少なくとも一方であることを特徴とする請求項１から請求項３に記載の携帯画像情報システム。
【請求項５】
前記グラフ画像は、前記健康データと生活習慣データの少なくとも一方のデータもしくはその統計値を時系列的に表示したグラフ画像であることを特徴とする請求項１から請求項４に記載の携帯画像情報システム。
【発明の詳細な説明】
【技術分野】
【０００１】
本発明は、携帯電話を端末としてシステム利用者の各種データをインターネット経由でサーバに蓄積し、そのデータを加工してシステム利用者の携帯電話にグラフ画像表示する携帯画像情報システムに関する。
【背景技術】
【０００２】
携帯電話技術の発達と普及は著しいものがあり、その実態は電話およびカメラ機能つきの超小型無線携帯パソコンといえるものになっている。そこで最近携帯電話の多機能化に注目し、携帯電話を端末とした各種Webアプリケーションシステムが考案されている。
【０００３】
例えば、特許文献１には、利用者に装着された測定装置によって測定される日常の健康情報を、携帯電話を用いインターネット経由で健康管理情報センターに送信・蓄積し、要求された健康情報を利用者に提供して利用者の健康管理を支援する健康情報管理方法が提案されている。
【０００４】
【特許文献１】特開２００２−２４５１７７号公報（請求項１、図１）
【発明の開示】
【発明が解決しようとする課題】
【０００５】
しかしながら、特許文献１の発明には健康情報を管理するためのシステムの構成や機能について述べられているが、時系列的に蓄積された個人の健康データや生活習慣データをシステムの利用者の携帯電話に快適に表示する方法については述べられていない。特に現在普及している携帯電話にはキャリア毎の互換性の問題がある。例えば健康データや生活習慣データの統計値等を時系列的にグラフ画像表示するときに、グラフ画像表示のためのアプリケーションプログラムを共通に使うことができないことや携帯電話にアプリケーションプログラムをロードする仕組が異なることがシステムを運用する上で障害になる。
【０００６】
従って本発明の課題は、携帯電話を端末としてシステム利用者の各種データをインターネット経由でサーバに蓄積し、そのデータを加工してシステム利用者の携帯電話にグラフ画像表示する携帯画像情報システムにおいて、キャリア毎の互換性を気にすることなく利用できる携帯画像情報システムを提供することである。
【課題を解決するための手段】
【０００７】
前記の課題を解決するためになされた本発明に係る携帯画像情報システムは、蓄積されたデータをグラフ画像表示するときに携帯電話固有のアプリケーションプログラムを使わずに、サーバ側で携帯電話の表示画面サイズに合わせてグラフ画像を描画し、それを画像ファイルとして携帯電話に送信して表示させることを特徴とする。携帯電話側では要求するグラフ画像表示に必要な表示パラメータの値だけを設定しサーバ側に送信する。
【発明の効果】
【０００８】
本発明によれば、蓄積されたデータを基にグラフ画像表示をするときに携帯電話のアプリケーションプログラムを使わないので、携帯電話キャリアの違いによるアプリケーションプログラム互換性の問題を回避することができる。即ち、システム利用者は携帯電話キャリアを変更しても同じようにシステムを利用でき、サービスプロバイダ側も携帯電話キャリアや機種の違いに悩まされることなくシステム開発や運用ができる。
【発明を実施するための最良の形態】
【０００９】
図１は本発明の携帯画像情報システムにおけるグラフ画像表示の流れを示す図である。システム利用者が携帯電話からグラフ画像表示の要求をサーバに送ると、サーバはグラフ表示パラメータ値設定画面を携帯電話に送信する。システム利用者は、見たいグラフの表示パラメータの値を設定し送信する。サーバは受信情報から表示パラメータの値を取得して、その条件でデータベースから必要なデータを検索し、携帯電話の表示画面サイズに合わせてグラフを描画する。描画したグラフ画像はファイルとして出力されハードディスクに一時的に保管される。そして、サーバはグラフ画像を表示するためのHTMLを携帯電話に送出する。このプロセスにより携帯電話の画面サイズに適した大きさのグラフが表示される。
【００１０】
図２はグラフ画像表示パラメータ設定から実際のグラフ画像表示までのサーバ側の処理を具体的に示した図である。1）携帯電話側では、データ項目名、表示タイプ、表示期間など画像表示パラメータの値を設定し送信する。2）サーバ側プログラムは、渡されたパラメータに格納された条件でグラフ画像を描画する。この時、交信中の携帯電話の環境変数から表示画面サイズを取得し、その表示画面サイズに合わせて描画する。3）描画したグラフ画像をハードディスクの所定のディレクトリにファイル出力する。4）グラフ画像を表示するためのHTMLをクライアントである携帯電話に送出する。
【実施例】
【００１１】
以下、サーバに蓄積するデータをシステム利用者の日常の健康データ（例えば体重）とし、そのデータを時系列的にグラフ画像表示する場合について、グラフ画像描画の具体的な実施例について説明する。
【００１２】
サーバ側でグラフ画像を描画する場合、クライアントである交信中の携帯電話の表示画面サイズに合わせて描画する必要がある。表示するグラフ画像の座標値の例を図３に示す。表示するグラフ画像を特徴付けるパラメータ値とグラフ本体を相対的に見やすく配置する。例えば、表示項目名と表示期間を画面左上に配置し、データを縦軸に最大値と最小値の間50ピクセル、横軸に表示期間60ピクセルで表示する。ここでの座標値は、基準となる画像の位置・サイズを表しており、実際には交信中の携帯電話の画面サイズに合わせて適宜拡大・縮小を行う。
【００１３】
交信中の携帯電話の表示画面サイズは携帯電話の環境変数から取得するが、グラフ画像をスクロールなしで画面内に収めるためにはブラウジング中の画像表示サイズの大きさで作成する必要がある。しかし、携帯電話の機種によっては環境変数から取得できるサイズが携帯電話の表示画面全体のサイズである場合がある。この場合には、グラフのサイズをパターン化して、ブラウジング中の画像表示サイズに収まるものを配信することによって目的を達成する。例えば、表示画面全体サイズが240×320以上の場合には200×200の画像を、120×120〜240×320未満の場合には120×120の画像を、それ以下の場合には90×90の画像を配信することにより、スクロールなしで画像表示できるようにする。
【００１４】
以上説明したように、携帯電話を端末としてシステム利用者の各種データをインターネット経由でサーバに蓄積し、そのデータを加工してシステム利用者の携帯電話にグラフ画像表示する携帯画像情報システムにおいて、グラフ画像描画を交信中の携帯電話の表示画面サイズに合わせてサーバ側で行うことにより、携帯電話キャリア間の互換性の問題を解決したシステムを実現できる。
【図面の簡単な説明】
【００１５】
【図１】本発明の携帯画像情報システムにおける、グラフ画像表示の流れを示す図である。
【図２】本発明の携帯画像情報システムにおける、サーバ側の処理を具体的に示す図である。
【図３】本発明の携帯画像情報システムにおける、グラフ画像描画の実施例を説明する図である。
【図１】
2007188364.tif 000003
【図２】
2007188364.tif 000004
【図３】
2007188364.tif 000005